(57)【要約】【課題】  作業者の稼働率の低下を防止すると共に、複数の切替作業が重複しても、切替作業に確実に作業者を配置することができ、信頼性および実行性の向上した割付を行える品種切替作業者計画方法を提供する。【解決手段】  品種切替作業者計画方法は、情報処理装置が生産日程計画データから品種切替データを作成して、上記品種切替データの各切替作業に仮作業者を割り付けると共に、作業者配置可不可カレンダーデータから所定の期間毎に配置可能な実作業者を抽出した配置対象作業者データを作成して、仮作業者計画データの仮作業者を配置対象作業者データに基づいて実作業者に置き換えることで、各切替作業を担当する実作業者の割付を決定する方法である。これにより、勤務時間の延長を行うこと無く切替作業毎に担当する実作業者を割り付けることができる。【選択図】        図１
2010128614.tif 000002
【特許請求の範囲】
【請求項１】
設備の構成を切り替えることで複数の品種の生産を行う際に、各切替作業に切替作業を行う作業者を割り付ける品種切替作業者計画方法において、
上記品種切替作業者計画方法は、品種切替データを作成する品種切替データ抽出手段と、仮作業者計画データを作成する仮作業者計画作成手段と、配置対象作業者データを作成する配置対象作業者抽出手段と、実作業者計画データを作成する実作業者計画作成手段とを有した情報処理装置を用いており、
品種切替データ抽出手段が、設備毎の生産品種と、数量と、生産時間帯とを備えた生産日程計画データから設備毎の切替作業の開始時刻および終了時刻と、切替作業の内容と、切替作業毎の必要人数とを抽出して、抽出した情報を切替作業毎に並べ替えて品種切替データを作成する品種切替データ抽出工程と、
仮作業者計画作成手段が上記品種切替データの各切替作業に仮作業者を割り付けると共に、割付の済んだ切替作業を割り付けた仮作業者毎に並べて仮作業者計画データを作成する仮作業者計画作成工程と、
配置対象作業者抽出手段が、実作業者の作業従事の可不可情報を備えた作業者配置可不可カレンダーデータから日程あるいは時間帯毎に配置できる実作業者を抽出して、抽出した実作業者を日程あるいは時間帯毎に纏めて配置対象作業者データを作成する配置対象作業者抽出工程と、
実作業者計画作成手段が、前記仮作業者計画データの仮作業者を前記配置対象作業者データの実作業者に置き換えて実作業者計画データを作成する実作業者計画作成工程と、を前記情報処理装置が行い、各切替作業を担当する作業者の割付を決定することを特徴とする品種切替作業者計画方法。
【請求項２】
前記配置対象作業者データが、各切替作業を実行可能か否かに関する実作業者毎の作業者能力データを有するものであることを特徴とする請求項１記載の品種切替作業者計画方法。
【請求項３】
前記実作業者計画作成手段が、前記実作業者計画データに配置した実作業者が担当した切替作業の作業従事時間を該実作業者の配置対象作業者データに累積して、新たな実作業者計画データ作成の際に上記作業従事時間が短い実作業者を優先するものであることを特徴とする請求項１または請求項２に記載の品種切替作業者計画方法。
【請求項４】
前記配置対象作業者データが、各実作業者の切替作業毎に要する必要作業時間を備えた必要作業時間データを有するものであり、前記実作業者計画作成手段が上記必要作業時間の短い実作業者を優先するものであることを特徴とする請求項１〜３のいずれか一つに記載の品種切替作業者計画方法。
【請求項５】
前記仮作業者計画作成手段が、予め定められた各設備あるいは各切替作業の優先順位を有する優先作業パラメータデータを用いて開始時刻の重複した切替作業に対して切替作業の優劣を判断することを特徴とする請求項１〜４のいずれか一つに記載の品種切替作業者計画方法。
【請求項６】
前記仮作業者計画作成手段が、前記生産日程計画データから得られた切替作業後の生産品の納期と生産量とを有する生産状況データを用いて開始時刻の重複した切替作業に対して切替作業の優劣を判断することを特徴とする請求項１〜５のいずれか一つに記載の品種切替作業者計画方法。
【発明の詳細な説明】
【技術分野】
【０００１】
本発明は、品種によって切替作業の内容および必要人数が異なる複数の品種の切替作業に対して、該切替作業を行う作業者の割付を決定する品種切替作業者計画方法に関するものである。
【背景技術】
【０００２】
従来から、複数の品種を生産している設備では、生産する品種毎に金型や、塗料等を変更して設備の構成を切り換えることで、複数の品種に対応していた。そして、品種毎の納期や生産量から作成された生産日程計画（生産スケジュール）に従って、生産時に品種毎に合った色の塗料や金型に切り換える切替作業を行う必要があった。そして、その切替作業を実施する作業者に人員不足等が生じると、切替作業の遅延や停滞が生じて生産日程計画に狂いが発生するものであった。
【０００３】
ここにおいて、特許文献１に示されているように、各作業者の勤務時間を拡張あるいは縮小することで各作業者のシフトの重なる共通時間を設けるとともに、共通時間を切替作業に充てることで、切替作業に必要な人数を割り付けて、切替作業を行う作業者を確保する方法があった。
【０００４】
しかし、上記共通時間の拡張あるいは縮小によって切替作業の割付を行うため、生産日程計画の様相によっては、作業者の勤務終了時間が大幅に延長されて、作業者の負担が増し、作業者の稼働率の低下を生じる恐れがあった。
【０００５】
また、切替作業の発生する時刻毎に瞬間的な最大人数を必要人数として割り付けているが、切替作業毎の作業者の割付に関する記載が無いものであった。
【０００６】
そのため、同時刻に複数の設備で切替作業が生じる等の複数の切替作業の開始時刻が重複した際に、各作業者がどの切替作業の担当であるかが判らず、切替作業毎に正しく作業者が配置されず切替作業毎に必要人数の過不足が発生する恐れがあり、同時刻に生じた複数の切替作業への作業者の配置が正確でなく、信頼性および実行性の低いという問題があった。
【特許文献１】特開平０９−２８２３７３号公報
【発明の開示】
【発明が解決しようとする課題】
【０００７】
そこで、本発明は上記問題に鑑みて発明したものであり、作業者の稼働率の低下を防止すると共に、複数の切替作業の開始時刻が重複しても作業者が確実に切替作業を行える信頼性および実行性の向上した割付を行うことができる品種切替作業者計画方法を提供することを課題とした。
【課題を解決するための手段】
【０００８】
上記課題を解決するために、本発明の品種切替作業者計画方法は、設備の構成を切り替えることで複数の品種の生産を行う際に、各切替作業に切替作業を行う作業者を割り付ける方法である。そして、上記品種切替作業者計画方法は、品種切替データを作成する品種切替データ抽出手段１と、仮作業者計画データを作成する仮作業者計画作成手段２と、配置対象作業者データを作成する配置対象作業者抽出手段３と、実作業者計画データを作成する実作業者計画作成手段４とを有した情報処理装置を用いている。更に、品種切替データ抽出手段１が、設備毎の生産品種と、数量と、生産時間帯とを備えた生産日程計画データから設備毎の切替作業の開始時刻および終了時刻と、切替作業の内容と、切替作業毎の必要人数とを抽出して、抽出した情報を切替作業毎に並べ替えて品種切替データを作成する品種切替データ抽出工程Ｓ１と、仮作業者計画作成手段２が上記品種切替データの各切替作業に仮作業者を割り付けると共に、割付の済んだ切替作業を割り付けた仮作業者毎に並べて仮作業者計画データを作成する仮作業者計画作成工程Ｓ２と、配置対象作業者抽出手段３が、実作業者の作業従事の可不可情報を備えた作業者配置可不可カレンダーデータから日程あるいは時間帯毎に配置できる実作業者を抽出して、抽出した実作業者を日程あるいは時間帯毎に纏めて配置対象作業者データを作成する配置対象作業者抽出工程Ｓ３と、実作業者計画作成手段４が、前記仮作業者計画データの仮作業者を前記配置対象作業者データの実作業者に置き換えて実作業者計画データを作成する実作業者計画作成工程Ｓ４と、を前記情報処理装置が行い、各切替作業を担当する作業者の割付を決定することを特徴とする方法である。
【０００９】
この方法を用いることで、一旦仮作業者で各切替作業への割付を行ってから、勤務日程毎あるいは勤務時間帯毎の配置の可不可に基づいて仮作業者を実作業者に置き換えるため、各実作業者を勤務時間内で無理なく配置すると共に、切替作業毎に夫々担当する実作業者の割付を決定することができる。
【００１０】
また、配置対象作業者データが、各切替作業を実行可能か否かに関する実作業者毎の作業者能力データを有するものであれば、過去の作業経験等により切替作業を容易に行える実作業者を割り付けられて、切替作業の遅延等を防止することができ、実作業者計画データの確実性および信頼性が増し、より精度の向上した実作業者の割付を行える方法となる。
【００１１】
また、実作業者計画作成手段４が、実作業者計画データに配置した実作業者が担当した切替作業の作業従事時間を該実作業者の配置対象作業者データに累積して、新たな実作業者計画データ作成の際に上記作業従事時間が短い実作業者を優先するものであれば、実作業者毎の月間の作業従事時間を平準化でき、実作業者毎に切替作業の担当する割合に偏りが生じることを防止した割付を行える方法となる。
【００１２】
また、配置対象作業者データが、各実作業者の切替作業毎に要する必要作業時間を備えた必要作業時間データを有するものであり、実作業者計画作成手段４が上記必要作業時間の短い実作業者を優先するものであれば、切替作業を円滑に行う実作業者が配置され易くなり、切替作業の遅延よって生産スケジュールにずれが生じることを防止でき、生産スケジュールの尊守確度の向上した精度の高い割付を行える方法となる。
【００１３】
また、仮作業者計画作成手段２が、予め定められた各設備あるいは各切替作業の優先順位を有する優先作業パラメータデータを用いて開始時刻の重複した切替作業に対して切替作業の優劣を判断することで、複数の切替作業で開始時刻の重複が生じても、容易に実作業者の割付を決定できる方法となる。
【００１４】
また、仮作業者計画作成手段２が、生産日程計画データから得られた切替作業後の生産品の納期と生産量とを有する生産状況データを用いて開始時刻の重複した切替作業に対して切替作業の優劣を判断することで、優先性の高い生産品の生産スケジュールに遅れが生じることを防止でき、尊守確度の向上した割付を行える方法となる。
【発明の効果】
【００１５】
上記のように、本発明の品種切替作業者計画方法は、一旦仮作業者で各切替作業への割付を行ってから、日時毎の配置の可不可に基づいて実作業者で仮作業者を置き換えることにより、各実作業者を勤務時間内で無理なく配置することができ、実作業者に勤務時間の延長等の負荷を与えることがないため、実作業者の稼働率の低下を防止した割付を行える方法となっている。そして、切替作業毎に仮作業者を割り付けることで、仮作業者を置き換えた際に実作業者毎に切替作業が割り振られるため、複数の切替作業の開始時刻が重複しても各切替作業に実作業者を確実に配置することができ、信頼性および実行性の向上した割付を行える方法となっている。
【発明を実施するための最良の形態】
【００１６】
以下、図面に基づいて本発明の実施形態について説明する。
【００１７】
本発明の一つの実施形態における品種切替作業者計画方法は、生産する品種毎に金型や、塗料等を変更して設備の構成を切り換えることで、複数の品種の生産を行える生産設備において、図２に示すように、設備の構成を切り替える作業者の人数や時間帯の割付を情報処理装置が決定する方法である。上記情報処理装置は、品種切替データを作成する品種切替データ抽出手段１と、仮作業者計画データを作成する仮作業者計画作成手段２と、配置対象作業者データを作成する配置対象作業者抽出手段３と、実作業者計画データを作成する実作業者計画作成手段４とを備えており、例えば、コンピュータ等の情報処理能力を有するハードウェアである。
【００１８】
詳しくは、図１に示すように、上記情報処理装置が、上記生産設備を備えた工場等で予め設定された生産日程計画データから品種切替データ抽出手段１によって品種切替データが作成される品種切替データ抽出工程Ｓ１と、上記品種切替データに基づいて仮作業者計画作成手段２によって各切替作業に仮作業者が割り付けられて仮作業者計画データが作成される仮作業者計画作成工程Ｓ２と、上記生産設備を備えた工場等で予め設定された作業者配置可不可カレンダーデータから配置対象作業者抽出手段３によって配置対象作業者データが作成される配置対象作業者抽出工程Ｓ３と、実作業者計画作成手段４によって仮作業者計画データに配置対象作業者データが適用されて実作業者計画データが作成されて出力手段に出力される実作業者計画作成工程Ｓ４と、を行うことで各切替作業を担当する実作業者の割付を決定する。なお、上記出力手段は、例えば、プリンタやディスプレイ、あるいは記憶媒体が好ましい。
【００１９】
上記品種切替データ抽出工程Ｓ１は、図３に示すように、設備毎の生産品種と、生産品種毎の数量および生産時間帯と、各生産品種に用いる金型や色等の種類である生産仕様と、を備えた生産日程計画データから、上記品種切替データ抽出手段１が、設備毎の各切替作業の開始時刻および終了時刻と、各切替作業の作業内容（生産仕様の変更点）を抽出すると共に、各切替作業の作業内容から必要人数を抽出する。そして、抽出した情報を設備毎に並べ替えて品種切替データを作成する。更に、該品種切替データを仮作業者計画作成手段２に出力して、品種切替データ抽出工程Ｓ１が完了となる。
【００２０】
例えば、品種切替データ抽出手段１は、生産日程計画データのうち、ある設備で一つ目に実施する生産品に関する生産日程計画データ（以下、第１の生産計画と記載）と、第１の生産計画の生産完了後に同じ設備で次に実施する生産品に関する生産日程計画データ（以下、第２の生産計画と記載）とから、第１の生産計画の金型コードおよび色コード等の第１の生産仕様と、第２の生産計画の金型コードおよび色コード等の生産仕様とを比較して生産仕様の変更点から切替作業の作業内容を判断すると共に、切替作業を実行するための必要人数を演算する。また、品種切替データ抽出手段１は、第１の生産計画の終了時刻を切替作業の開始時刻として第２の生産計画の開始時刻を切替作業の終了時刻とすると共に、その間の時間を、切替作業を実行するための切替時間とすることで、一つの切替作業を抽出している。更に、上記設備毎に切替作業を抽出する処理を繰り返し行い、生産日程計画データから全ての設備の切替作業を抽出して前記品種切替データを作成すると共に、作成した品種切替データを仮作業者計画作成手段２に出力する。
【００２１】
また、仮作業者計画作成工程Ｓ２は、図４および図５に示すように、上記仮作業者計画作成手段２が、受け取った上記品種切替データから、所定の期間、詳しくは、日程毎あるいは勤務時間帯毎、に該当する切替作業を抽出して開始時刻順に並べ替える。そして、番号を付加した仮作業者、例えば、仮作業者１（図５中では、仮１と記載）、を作成して、上記抽出し並べ替えた切替作業の内、切替作業時間が重複しない切替作業に対して上記仮作業者１を割り付ける。そして、割り付けた仮作業者の番号を上記品種切替データに付加すると共に、必要人数を満たした切替作業に対して作業者割付区分を済に変更する。更に、次の番号を付加した仮作業者、例えば、仮作業者２（図５中では、仮２と記載）、を作成し、該仮作業者２を所定の期間の切替作業のうち作業者割付区分が済で無く且つ作業時間が重複しない切替作業に対して割り付けると共に、上記品種切替データを更新する。
【００２２】
上記番号の異なる仮作業者の作成と、作成した仮作業者の割付および割付による品種切替データの更新を繰り返して、品種切替データの全てあるいは所定の期間内の全ての切替作業の作業者割付区分が済になると、仮作業者の作成および割付が完了となる。そして、割付の完了した品種切替データから仮作業者毎に切替作業を抽出して、仮作業者単位で並べられた仮作業者計画データを作成し、該仮作業者計画データを実作業者計画作成手段４に出力して、仮作業者計画作成工程Ｓ２が完了となる。
【００２３】
また、前記配置対象作業者抽出工程Ｓ３は、図６に示すように、実作業者の日毎あるいは各日程の時間毎の作業従事の可不可情報、例えば、勤務日程あるいは日程毎の勤務時間帯、を備えた作業者配置可不可カレンダーデータから、配置対象作業者抽出手段３が日程毎あるいは勤務時間帯毎の作業従事が可能である実作業者を抽出して、日程毎あるいは勤務時間帯毎に配置可能な実作業者を纏めた配置対象作業者データを作成する。そして、該配置対象作業者データを前記実作業者計画作成手段４に出力して、配置対象作業者抽出工程Ｓ３が完了となる。
【００２４】
また、前記実作業者計画作成工程Ｓ４では、前記仮作業者計画データおよび上記配置対象作業者データを受け取った実作業者計画作成手段４が、図７および図８に示すように、配置対象作業者データのうち、仮作業者計画データの所定の期間と勤務日程あるいは勤務時間帯が合致する実作業者を抽出する。そして、抽出した実作業者で上記所定の期間の仮作業者を置き換えることで、該仮作業者の担当する切替作業を上記実作業者の担当する切替作業に変更して、実作業者計画データを作成する。また、仮作業者を実作業者に置き換えた際に、置き換えた実作業者の所定の期間と同様の期間における配置区分を済に変更して配置対象作業者データを更新する。
【００２５】
上記仮作業者の実作業者への置き換えによる実作業者計画データの作成および置き換えた実作業者に関する配置対象作業者データの更新を繰り返して、仮作業者計画データにおける全ての仮作業者を実作業者に置き換えると、前記所定の期間における実作業者計画データの作成が完了となる。そして、該実作業者計画データを出力手段に出力して、実作業者計画作成工程Ｓ４および情報処理装置による品種切替作業者計画方法が完了となる。なお、所定の期間毎に出力手段に出力するのではなく、週毎や月毎等の複数の期間における実作業者計画データを纏めて出力するものでもよい。
【００２６】
このように、各切替作業へ一旦仮作業者を割り付けてから、日程あるいは勤務時間帯毎に抽出した実作業者で仮作業者を置き換えることにより、各実作業者を勤務時間内で無理なく割り付けることができ、実作業者に勤務時間を延長して切替作業を実行させる等の負荷を与えることがないため、実作業者の稼働率の低下を防止することができる。そして、切替作業毎に仮作業者の割付を行ったことで、複数の切替作業の実施時間帯が重複しても、実作業者と切替作業とが夫々対応しているため、切替作業毎に必要人数の過不足が生じる恐れが無く、切替作業を実作業者が確実に実行できる信頼性および実行性の向上した割付を行える方法となっている。また、実作業者の割付が決定する（仮作業者との置き換えが済む）毎に、配置対象作業者データを更新することで、同一の実作業者が同じ期間の切替作業に再度割り付けられることを防止している。
【００２７】
また、他の実施形態として、前記配置対象作業者抽出工程Ｓ３において、各作業者の切替作業の実績や月間作業従事時間等を有する作業者能力データを用いた例がある。なお、上述の各実施形態に記載した内容と同様の手順および構成に関する説明は省略する。
【００２８】
上記作業者能力データは、各切替作業の経験の有無と、過去の切替作業において要した平均所要時間である切替作業能力と、実作業者計画データに割り付けられた切替作業の月内の担当時間の累計である月内作業時間と、からなるものである。
【００２９】
そして、図９に示すように、配置対象作業者抽出工程Ｓ３において、配置対象作業者抽出手段３が、上記作業者能力データと、作業者配置可不可カレンダーデータとから、所定の期間毎の配置可能な実作業者を抽出すると共に、抽出した実作業者毎の切替作業における能力を抽出して、作業者能力データを備えた配置対象作業者データを作成する。更に、上記配置対象作業者データを受け取った実作業者計画作成手段４が、例えば、図１０に示すように、仮作業者毎の金型交換作業の有無等の担当する切替作業の内容をチェックして、上記切替作業の内容と、担当する時間帯との両方を満足する実作業者を上記配置対象作業者データから抽出して置き換える。
【００３０】
このように、仮作業者の実作業者への置き換えの際に、仮作業者の担当する切替作業の内容から必要な能力をチェックして、実作業者が必要な能力を備えているかの判断を加えることで、各切替作業に対して実行可能な実作業者を確実に割り付けることができ、実作業者計画データの信頼性が増し、より精度の向上した実作業者の割付を行える。なお、本実施形態では、切替作業が金型交換と色交換の二種類であり、金型交換作業に関する平均作業時間を切替作業能力に用いたが、作業者能力データは上記三つの条件のみに限定するのではなく、免許や資格等を条件に用いてもよく、切替作業に合わせて適宜変更可能である。
【００３１】
また、他の実施形態として、実作業者を仮作業者と置き換える毎に置き換えた実作業者が実施する切替作業の累計時間を配置対象作業者データに付加した例を説明する。なお、上述した他の実施形態に記載の内容と同様の手順および構成に関する説明は省略する。
【００３２】
実作業者計画作成工程Ｓ４において、実作業者計画作成手段４が仮作業者を実作業者に置き換えた際に、該実作業者が担当する切替作業の合計時間（作業従事時間）を配置対象作業者抽出手段３に出力する。そして、配置対象作業者抽出手段３が、該実作業者の月内作業時間に上記作業従事時間を累積すると共に、月内作業時間の短い実作業者の順に並べ替えて配置対象作業者データを更新する。更に、所定の期間の実作業者計画データの作成が完了して次の期間の実作業者計画データを作成する際に、実作業者計画作成手段４が月内作業時間の情報が更新された配置対象作業者データを受け取り、上記月内作業時間の短い実作業者を優先して仮作業者と置き換えて、次の期間における実作業者計画データを作成する。
【００３３】
したがって、実作業者を抽出するための優先度として、累積した月内作業時間を用いたことで、実作業者毎の月間の作業従事時間が平準化されて、実作業者毎に切替作業を担当する割合に偏りが生じることを防止できる。
【００３４】
また、実作業者計画作成工程Ｓ４において、仮作業者と合致する実作業者が複数人抽出された際に、実作業者計画作成手段４が前記平均作業時間の短い作業者（切替作業を早く完了できる切替作業能力の高い作業者）を優先して割り付けることで、切替作業を円滑に行える実作業者が割り付けられ易くなり、切替作業の遅延によって生産スケジュールに遅れが生じることを防止でき、生産スケジュールの尊守確度の向上した精度の高い割付を行える。
【００３５】
また、他の実施形態として、複数の生産設備で夫々切替作業が実行される場合等の複数の切替作業で開始時刻が重複した際に、予め設定した優先作業パラメータデータを用いることで仮作業者計画作成手段２にいずれの切替作業へ仮作業者を優先して割り付けるかを判断させる例がある。なお、上述の各実施形態に記載した内容と同様の手順および構成に関する説明は省略する。
【００３６】
上記優先作業パラメータデータは、例えば、図１１（ａ）に示すような生産設備毎の優先順位や、図１１（ｂ）に示すような切替作業の内容毎の優先順位等であり、開始時刻の重複した切替作業が抽出された際に、上記優先順位に基づき優先順位の高い切替作業に対して仮作業者が割り付けられる。特に、上述の作業者能力データを備えた配置対象作業者データを用いた実作業者計画作成工程Ｓ４において、切替作業能力の高い実作業者を優先順位の高い切替作業に優先して割り付けられるため、優先順位の高い生産設備の作業効率の低下を抑制することができ、生産性の向上した割付を行える。
【００３７】
また、更に他の実施形態として、上記生産設備毎の優先順位や、切替作業の内容毎の優先順位の同じ切替作業が抽出された際に、切替作業後に生産する次の生産品の重要度に基づき判断を下す例である。なお、上述の各実施形態に記載した内容と同様の手順および構成に関する説明は省略する。
【００３８】
例えば、図１２に示すように、品種切替データ抽出手段１あるいは仮作業者計画作成手段２が生産日程計画データから各切替作業後の生産品の納期と生産量とを有する生産状況データを演算して、仮作業者計画作成工程Ｓ２で、生産設備毎の優先順位や、切替作業の内容毎の優先順位が同じ切替作業を抽出した際に、仮作業者計画作成手段２が各切替作業に応じた生産状況データを比較して、所定の期間に納期が近いあるいは生産量が多い生産状況データの対応した切替作業に仮作業者を優先して割り付ける。
【００３９】
このように、切替作業後の生産品の重要性に基づいて重複した切替作業の優劣を判断することによって、特に切替作業能力の高い実作業者を優先して割付を行っていた場合に、円滑に切替作業を行える実作業者を優先性の高い生産品に割り付けられ、優先性の高い生産品の生産スケジュールに遅れが生じることを防止でき、尊守確度の向上した割付を行える。
【図面の簡単な説明】
【００４０】
【図１】本発明の品種切替作業者計画方法に関するブロック図である。
【図２】同上の品種切替作業者計画の説明図である。
【図３】同上の品種切替データ抽出工程の説明図である。
【図４】同上の仮作業者計画作成工程のフロー図である。
【図５】同上の仮作業者計画作成工程の説明図である。
【図６】同上の配置対象作業者抽出工程の説明図である。
【図７】同上の実作業者計画作成工程のフロー図である。
【図８】同上の実作業者計画作成工程の説明図である。
【図９】他の実施形態における配置対象作業者抽出工程の説明図である。
【図１０】同上の仮作業者計画作成工程のフロー図である。
【図１１】他の実施形態であり、優先作業パラメータデータ（ａ）、（ｂ）の説明図である。
【図１２】他の実施形態であり、生産状況データに用いた例のフロー図である。
【符号の説明】
【００４１】
１  品種切替データ抽出手段
２  仮作業者計画作成手段
３  配置対象作業者抽出手段
４  実作業者計画作成手段
Ｓ１  品種切替データ抽出工程
Ｓ２  仮作業者計画作成工程
Ｓ３  配置対象作業者抽出工程
Ｓ４  実作業者計画作成工程
【図１】
2010128614.tif 000003
【図２】
2010128614.tif 000004
【図３】
2010128614.tif 000005
【図４】
2010128614.tif 000006
【図５】
2010128614.tif 000007
【図６】
2010128614.tif 000008
【図７】
2010128614.tif 000009
【図８】
2010128614.tif 000010
【図９】
2010128614.tif 000011
【図１０】
2010128614.tif 000012
【図１１】
2010128614.tif 000013
【図１２】
2010128614.tif 000014